(57)【要約】    【課題】  回路規模を増やさずに必要部分に高分解能のＡＤ変換処理を行えかつＲＧＢ入力とＹＣｒＣｂ入力の何れにも対応可能なディジタル映像信号処理回路を提供すること。    【解決手段】  入力されたアナログ映像信号としてのＲＧＢ信号とＹＣｒＣｂ信号の何れかを選択する切替スイッチと、Top側とBottom側の基準電圧VRTとVRBとが定められ、これらのVRTとVRBの間に設けられた２５５個の分圧抵抗と２５６個のコンパレータとによってＡＤ変換処理を行って８ビットのディジタル映像信号を出力するＡＤ変換器と、ＡＤ変換器からの８ビット信号を１０ビットに拡張して出力するＡＤ変換出力補正部とを具備してなるディジタル映像信号処理回路において、ＡＤ変換器はVRTとVRBの間の分圧抵抗間に略等間隔に３つの基準電圧を設定でき、ＡＤ変換出力補正部は基準電圧に応じて変化するＡＤ変換器の入出力特性を直線的な特性に補正する機能を有する。【選択図】    図１
2006287505.tif 000002
【特許請求の範囲】
【請求項１】
Top側基準電圧VRTとBottom側基準電圧VRBとが定められ、これらのVRTとVRBの間に設けられた２ｎ−１個の分圧抵抗と２ｎ個のコンパレータとによってＡＤ変換処理を行って入力されたアナログ映像信号をｎビットのディジタル映像信号を出力するＡＤ変換器と、前記ＡＤ変換器からのｎビットのディジタル映像信号をｍビット（但し、ｍ＞ｎ）に拡張して出力するＡＤ変換出力補正部とを具備してなるディジタル映像信号処理回路において、前記ＡＤ変換器は、VRTとVRBの間の何れかの分圧抵抗の間に少なくとも１以上の基準電圧を設定可能な構成とし、前記ＡＤ変換出力補正部は、基準電圧に応じて変化するＡＤ変換器の入出力特性を直線的な特性に補正する機能を具備してなることを特徴とするディジタル映像信号処理回路。
【請求項２】
入力されたアナログ映像信号としてのＲＧＢ信号又はＹＣｒＣｂ信号の何れかの信号を選択する切替スイッチと、Top側基準電圧VRTとBottom側基準電圧VRBとが定められ、これらのVRTとVRBの間に設けられた２ｎ−１個の分圧抵抗と２ｎ個のコンパレータとによってＡＤ変換処理を行ってｎビットのディジタル映像信号を出力するＡＤ変換器と、前記ＡＤ変換器からのｎビットのディジタル映像信号をｍビット（但し、ｍ＞ｎ）に拡張して出力するＡＤ変換出力補正部とを具備してなるディジタル映像信号処理回路において、前記ＡＤ変換器は、VRTとVRBの間の何れかの分圧抵抗の間に少なくとも１以上の基準電圧を設定可能な構成とし、前記ＡＤ変換出力補正部は、基準電圧に応じて変化するＡＤ変換器の入出力特性を直線的な特性に補正する機能を具備してなることを特徴とするディジタル映像信号処理回路。
【請求項３】
入力されたアナログ映像信号としてのＲＧＢ信号又はＹＣｒＣｂ信号の何れかの信号を選択する切替スイッチと、Top側基準電圧VRTとBottom側基準電圧VRBとが定められ、これらのVRTとVRBの間に設けられた２５５個の分圧抵抗と２５６個のコンパレータとによってＡＤ変換処理を行って８ビットのディジタル映像信号を出力するＡＤ変換器と、前記ＡＤ変換器からの８ビットのディジタル映像信号を１０ビットに拡張して出力するＡＤ変換出力補正部とを具備してなるディジタル映像信号処理回路において、前記ＡＤ変換器は、VRTとVRBの間の分圧抵抗の間に略等間隔に３つの基準電圧を設定可能な構成とし、前記ＡＤ変換出力補正部は、基準電圧に応じて変化するＡＤ変換器の入出力特性を直線的な特性に補正する機能を具備してなることを特徴とするディジタル映像信号処理回路。
【請求項４】
前記切替スイッチに対して何れの信号を選択するかを指示する選択信号を出力し、入力されたアナログ映像信号がＲＧＢ信号又はＹＣｒＣｂ信号の何れであるかに応じて、前記ＡＤ変換器の基準電圧を設定するための信号を出力し、かつ、前記ＡＤ変換出力補正部において入出力特性を直線的な特性に補正するための演算式を支持する信号を出力する制御部１６を設けたことを特徴とする請求項２又は３記載のディジタル映像信号処理回路。
【発明の詳細な説明】
【技術分野】
【０００１】
本発明は、入力されたアナログ映像信号をディジタル映像信号に変換して出力するためのディジタル映像信号処理回路に関するものである。
【背景技術】
【０００２】
ディジタル方式で表示を行うディスプレイ装置においてアナログ映像信号を表示するためには、アナログ−ディジタル変換（以下、ＡＤ変換）処理を行う必要がある。図７（ａ）に示すのは、従来より映像信号処理でよく使用される並列比較方式の８ビットＡＤ変換器の構成例である。この図７（ａ）からも分かるように、ＡＤ変換器は、階調数に相当する数の比較器から構成され、それぞれのレベルに対する電圧と入力電圧を比較し、デコーダ回路からその結果を出力する。それぞれの比較器の基準電圧は、入力された基準電圧VRT（Top側）とVRB（Bottom側）を全階調数で等間隔に分圧し、比較器への基準電圧を生成している。このようなＡＤ変換器の入出力特性は、図７（ｂ）に示すような直線的な特性を持つ。
【０００３】
このようなＡＤ変換処理を行う場合、入出力特性が直線的な特性を持つディジタルディスプレイにおける低輝度側の量子化誤差は、映像信号のレベル変化に対する比率が大きく、画質の劣化として目に付きやすいという問題がある。これを解決するため、ディジタルディスプレイの入力映像ビット数を伸長し、全体の階調数を増やすことで低輝度の微小なレベル変化を滑らかに表現するための手法が用いられる。例えば、アナログ映像信号に対して８ビットのＡＤ変換処理を行うよりも、１０ビットのＡＤ変換処理を行った方が低輝度側の量子化誤差は目立たなくなる。しかし、映像信号処理回路の入力側にあるＡＤ変換回路のビット数を増やした場合、ビット幅を１ビット伸長する毎に回路規模が２倍に増加する。つまり、８ビットのＡＤ変換器に比べて１０ビットのＡＤ変換器は４倍の回路規模を必要とする。その結果、動作速度の低下、デバイスの製造コスト増、パッケージサイズの増大、基板上の配線領域の増大などの新たな問題が生じる。
【０００４】
このような問題を解決するものとして、特許文献１に記載されているＡＤ変換器が存在する。この特許文献１に記載のＡＤ変換器は、必要となる部分にのみ高分解能のＡＤ変換処理を行うようにすることで、ＡＤ変換器全体を高分解能とするよりもコストダウン、チップ面積の縮小、低消費電力化が図られる。具体例として、ＡＤ変換器全体を１０ビット相当の高分解能とすると１０２４個のコンパレータが必要となるところを、必要となる部分のみ高分解能とすることで、４５０個のコンパレータによって１０ビット相当の分解能が得られる実施例が記載されている。
【特許文献１】特開平０６−０８５６７５号公報
【発明の開示】
【発明が解決しようとする課題】
【０００５】
ところで、従来はアナログ映像信号を受信してこれを１０ビット入力のディジタルディスプレイに接続する場合には、図７（ａ）のＡＤ変換器を用いて８ビットのディジタル信号に変換した後に、後段のガンマ補正回路などで１０ビットに拡張してからディスプレイに出力することで対応していた。この場合、ＡＤ変換自体は８ビットで行って、これをそのまま１０ビットに拡張しているため、量子化誤差も４倍となってしまい、画質の劣化として目に付きやすいという問題が解消されないことになる。また、このような構成による信号処理回路は、ＲＧＢ入力又はＹＣｒＣｂ入力の何れか一方にのみに対応したものであり、同一の回路構成で２つの信号を処理することが出来なかった。
【０００６】
本発明は、上記問題点に鑑みなされたものであり、回路規模を増大させることなく必要となる部分に高分解能のＡＤ変換処理を行うことができ、かつ、ＲＧＢ入力又はＹＣｒＣｂ入力の何れにも対応可能なディジタル映像信号処理回路を提供することを目的とするものである。
【課題を解決するための手段】
【０００７】
本発明の請求項１は、Top側基準電圧VRTとBottom側基準電圧VRBとが定められ、これらのVRTとVRBの間に設けられた２ｎ−１個の分圧抵抗と２ｎ個のコンパレータとによってＡＤ変換処理を行って入力されたアナログ映像信号をｎビットのディジタル映像信号を出力するＡＤ変換器と、前記ＡＤ変換器からのｎビットのディジタル映像信号をｍビット（但し、ｍ＞ｎ）に拡張して出力するＡＤ変換出力補正部とを具備してなるディジタル映像信号処理回路において、前記ＡＤ変換器は、VRTとVRBの間の何れかの分圧抵抗の間に少なくとも１以上の基準電圧を設定可能な構成とし、前記ＡＤ変換出力補正部は、基準電圧に応じて変化するＡＤ変換器の入出力特性を直線的な特性に補正する機能を具備してなることを特徴とするディジタル映像信号処理回路
【０００８】
本発明の請求項２は、入力されたアナログ映像信号としてのＲＧＢ信号又はＹＣｒＣｂ信号の何れかの信号を選択する切替スイッチと、Top側基準電圧VRTとBottom側基準電圧VRBとが定められ、これらのVRTとVRBの間に設けられた２ｎ−１個の分圧抵抗と２ｎ個のコンパレータとによってＡＤ変換処理を行ってｎビットのディジタル映像信号を出力するＡＤ変換器と、前記ＡＤ変換器からのｎビットのディジタル映像信号をｍビット（但し、ｍ＞ｎ）に拡張して出力するＡＤ変換出力補正部とを具備してなるディジタル映像信号処理回路において、前記ＡＤ変換器は、VRTとVRBの間の何れかの分圧抵抗の間に少なくとも１以上の基準電圧を設定可能な構成とし、前記ＡＤ変換出力補正部は、基準電圧に応じて変化するＡＤ変換器の入出力特性を直線的な特性に補正する機能を具備してなることを特徴とするディジタル映像信号処理回路である。
【０００９】
本発明の請求項３は、入力されたアナログ映像信号としてのＲＧＢ信号又はＹＣｒＣｂ信号の何れかの信号を選択する切替スイッチと、Top側基準電圧VRTとBottom側基準電圧VRBとが定められ、これらのVRTとVRBの間に設けられた２５５個の分圧抵抗と２５６個のコンパレータとによってＡＤ変換処理を行って８ビットのディジタル映像信号を出力するＡＤ変換器と、前記ＡＤ変換器からの８ビットのディジタル映像信号を１０ビットに拡張して出力するＡＤ変換出力補正部とを具備してなるディジタル映像信号処理回路において、前記ＡＤ変換器は、VRTとVRBの間の分圧抵抗の間に略等間隔に３つの基準電圧を設定可能な構成とし、前記ＡＤ変換出力補正部は、基準電圧に応じて変化するＡＤ変換器の入出力特性を直線的な特性に補正する機能を具備してなることを特徴とするディジタル映像信号処理回路である。
【００１０】
本発明の請求項４は、請求項２又は３に加えて、前記切替スイッチに対して何れの信号を選択するかを指示する選択信号を出力し、入力されたアナログ映像信号がＲＧＢ信号又はＹＣｒＣｂ信号の何れであるかに応じて、前記ＡＤ変換器の基準電圧を設定するための信号を出力し、かつ、前記ＡＤ変換出力補正部において入出力特性を直線的な特性に補正するための演算式を支持する信号を出力する制御部１６を設けたことを特徴とするディジタル映像信号処理回路である。
【発明の効果】
【００１１】
請求項１記載の発明によれば、ＡＤ変換器において少なくとも１以上の基準電圧を設定することで、既存のＡＤ変換器と同じ回路規模のまま、必要な部分、例えば、低輝度部分のみを高分解能とすることができるため、従来技術の問題点であった回路規模の増大による動作速度の低下、デバイスの製造コスト増、パッケージサイズの増大、基板上の配線領域の増大などの問題点を解消しつつ、ビット数を拡張しても画質劣化の少ない映像信号処理を行うことができる。また、ＡＤ変換出力補正部において入出力特性を直線的な特性に戻す補正をするため、後の回路において映像が破綻することがない。
【００１２】
請求項２記載の発明によれば、ＡＤ変換器において少なくとも１以上の基準電圧を設定することで、既存のＡＤ変換器と同じ回路規模のまま、必要な部分、例えば、低輝度部分のみを高分解能とすることができるため、従来技術の問題点であった回路規模の増大による動作速度の低下、デバイスの製造コスト増、パッケージサイズの増大、基板上の配線領域の増大などの問題点を解消しつつ、ビット数を拡張しても画質劣化の少ない映像信号処理を行うことができる。また、ＡＤ変換出力補正部において入出力特性を直線的な特性に戻す補正をするため、後の回路において映像が破綻することがない。
【００１３】
請求項３記載の発明によれば、ＡＤ変換器においてVRTとVRBの間の分圧抵抗の間に略等間隔に３つの基準電圧を設定することで、既存の８ビットＡＤ変換器と同じ回路規模のまま、必要な部分、例えば、低輝度部分のみを高分解能とすることができるため、従来技術の問題点であった回路規模の増大による動作速度の低下、デバイスの製造コスト増、パッケージサイズの増大、基板上の配線領域の増大などの問題点を解消しつつ、１０ビットに拡張しても画質劣化の少ない映像信号処理を行うことができる。また、ＡＤ変換出力補正部において入出力特性を直線的な特性に戻す補正をするため、後の回路において映像が破綻することがない。
【００１４】
請求項４記載の発明によれば、前記切替スイッチに対して何れの信号を選択するかを指示する選択信号を出力し、入力されたアナログ映像信号がＲＧＢ信号又はＹＣｒＣｂ信号の何れであるかに応じて、前記ＡＤ変換器の基準電圧を設定するための信号を出力し、かつ、前記ＡＤ変換出力補正部において入出力特性を直線的な特性に補正するための演算式を支持する信号を出力する制御部１６を設けたので、同一回路構成でＲＧＢ信号とＹＣｒＣｂ信号のどちらにも対応可能な構成となっている。
【発明を実施するための最良の形態】
【００１５】
本発明のディジタル映像信号処理回路は、入力されたアナログ映像信号としてのＲＧＢ信号又はＹＣｒＣｂ信号の何れかの信号を選択する切替スイッチと、Top側基準電圧VRTとBottom側基準電圧VRBとが定められ、これらのVRTとVRBの間に設けられた２５５個の分圧抵抗と２５６個のコンパレータとによってＡＤ変換処理を行って８ビットのディジタル映像信号を出力するＡＤ変換器と、前記ＡＤ変換器からの８ビットのディジタル映像信号を１０ビットに拡張して出力するＡＤ変換出力補正部とを具備してなるディジタル映像信号処理回路において、前記ＡＤ変換器は、VRTとVRBの間の分圧抵抗の間に略等間隔に３つの基準電圧を設定可能な構成とし、前記ＡＤ変換出力補正部は、基準電圧に応じて変化するＡＤ変換器の入出力特性を直線的な特性に補正する機能を具備してなることを特徴とするものである。以下、図面に基づいて説明を行う。
【００１６】
本発明の実施の形態を図面に基づいて説明する。図１に示すのは、本発明のディジタル映像信号処理回路の構成を示したブロック図であり、この図１において、ＲＧＢ信号入力端子１１又はＹＣｒＣｂ信号入力端子１２から入力された映像信号は、切替スイッチ１４において正しい入力信号に切替えられて後段のＡＤ変換器１５に出力される。このとき、入力切替信号入力端子１３からの入力切替信号が制御部１６に入力され、この制御部１６から切替スイッチ１４に対して切替用の制御信号が入力されるとともに、制御部１６からＡＤ変換器１５に対してＡＤ変換処理に用いる基準電圧を設定するための制御信号が入力される。
【００１７】
その後、ＡＤ変換器１５から出力されたディジタル信号に対して、ディジタルディスプレイの表示に用いる信号方式に変換するために、後段の信号方式変換部１７において、ＲＧＢ信号又はＹＣｒＣｂ信号のどちらかに統一するための変換処理を行い、さらに後段の画素変換部１８において画素毎の最適な出力データに変換した後に、後段のＡＤ変換出力補正部１９に入力される。ＡＤ変換出力補正部１９では、前記ＡＤ変換器１５で変換された８ビットのディジタル映像信号を後述する方法を用いて１０ビットに変換して、後段のガンマ補正処理部２０に出力する。ガンマ補正処理部２０では、最適なガンマ補正処理が行われこのガンマ補正後の映像信号がディジタルディスプレイ２１に出力されて表示される。
【００１８】
前記ＡＤ変換器１５の詳細な構成を図２に基づいて説明する。この図２に示すように、本発明のＡＤ変換器１５は、Top側基準電圧入力端子２３からTop側基準電圧（VRT）が入力され、Bottom側基準電圧入力端子２４からBottom側基準電圧（VRB）が入力され、これらの基準電圧VRT及びVRBの間の電圧を分圧抵抗２５によって２５６段階に分圧して、これをコンパレータ２６000〜２６255においてそれぞれアナログ映像信号との比較を行い、それぞれの比較結果は後段のエンコーダ２７に出力する。エンコーダ２７では、入力された比較結果についてクロック入力端子２８からのクロック信号によって与えられるタイミングでエンコードを行って、後段のラッチ回路２９においてラッチすることでデータを保持して、これをＡＤ変換処理後のディジタル映像信号として後段の信号方式変換部１７に出力する。
【００１９】
ここで図２に示すように、本発明のＡＤ変換器１５の特徴として基準電圧生成部２２を設けており、この基準電圧生成部２２において基準電圧VRT及びVRBの間にさらに３つの基準電圧VRM3、VRM2、VRM1を設定して、これら３つの基準電圧を調整することでＡＤ変換処理の分解能を調整する。図２からも分かるように、VRM3はコンパレータ２６191と２６192の間の基準電圧、VRM2はコンパレータ２６127と２６128の間の基準電圧、VRM1はコンパレータ２６63と２６64の間の基準電圧を設定するものであり、これらの基準電圧間には同じ数（６４個）の分圧抵抗２５が設けてある。
【００２０】
前記ＡＤ変換出力補正部１９は、前記ＡＤ変換器１５においてアナログ信号を変換して生成した８ビットのディジタル映像信号をディジタルディスプレイ２１に出力するビット数（本実施例においては１０ビット）に拡張して出力するものである。また、前記ＡＤ変換器１５では分解能を部分的に変えてＡＤ変換しているため、入出力特性が直線から大きくずれている場合があり、これを直線的な特性に戻す処理も合わせて行う。
【実施例１】
【００２１】
次に、以上のような構成における本発明の作用を図面に基づいて説明する。図１の回路においてＲＧＢ信号入力端子１１から８ビットのＲＧＢ信号が入力され、この入力された信号に対して、中間点の基準電圧の１つを変更して低輝度側の分解能を上げたＡＤ変換処理を行って、さらに１０ビットに拡張すると共に入出力特性を直線的に補正してディジタルディスプレイ２１に出力する場合について説明する。
【００２２】
ＲＧＢ信号入力端子１１からアナログのＲＧＢ信号が入力されると、入力切替信号入力端子１３からの入力切替信号によって入力される信号がＲＧＢ信号であることが制御部１６において認識される。制御部１６では、切替えスイッチ１４に対してＲＧＢ信号入力端子１１からのＲＧＢ信号を選択する指示を出すと共に、予め設定しておいた基準電圧値の指令をＡＤ変換器１５に対して出力する。ＡＤ変換器１５では、基準電圧生成部２２がその指令を受けて基準電圧を生成して、これに基づいてＡＤ変換処理が行われる。
【００２３】
中間点の基準電圧の１つを変更して低輝度側の分解能を上げたＡＤ変換処理の例として、図３（ａ）に示す例が挙げられる。この例は、図２のＡＤ変換器１５の基準電圧生成部２２において生成可能な基準電圧VRM3、VRM2、VRM1のうち、中間点であるVRM2のみを変更した例である。このVRM2を（VRT−VRB）の１／２に設定した場合には、分解能が均一のＡＤ変換処理となるが、このVRM2を図３（ａ）のように（VRT−VRB）の１／４に設定すると、VRM2よりも大きな電圧レベル部分は分解能が２／３になり、VRM2よりも小さな電圧レベル部分は分解能が２倍となる。
【００２４】
この図３（ａ）のように低輝度側の分解能を上げることで、図３（ｂ）に示すように、高輝度側は量子化ノイズが増大してしまうが、低輝度側の量子化ノイズが減少する。高輝度側の量子化ノイズの増大は各入力レベルに対する比率が小さいため影響は小さく、低輝度側の量子化ノイズの減少は画質の劣化を抑える効果として影響が大きい。
【００２５】
この図３（ａ）のＡＤ変換処理によって低輝度側の分解能を上げることができたが、これにより映像信号の入出力特性が変わってしまっており、これを直線的な入出力特性に補正する必要がある。具体的には、ＡＤ変換出力補正部１９において、図３（ｃ）に示すように、ＡＤ変換後の中間レベル80hを１０ビットの100hに対応させるようにして、８ビットから１０ビットに拡張しつつ直線的な入出力特性に補正する。このような変換処理を行うことで、既存の８ビットＡＤ変換器と同じ回路規模のまま、低輝度部分のみ高分解能とすることができる。
【実施例２】
【００２６】
実施例１では、図２のＡＤ変換器１５の基準電圧生成部２２において生成可能な基準電圧VRM3、VRM2、VRM1のうち、中間点であるVRM2のみを変更した場合について説明したが、この実施例２では、基準電圧VRM3、VRM2、VRM1を3点とも変更する場合について説明する。なお、他の構成部分の機能については同様であるため説明を省略する。
【００２７】
この実施例２では、図４（ａ）に示すような基準電圧に基づいてＡＤ変換を行う。図４（ａ）からも分かるように、基準電圧VRM3を（VRT−VRB）の１／２に設定し、基準電圧VRM2を（VRT−VRB）の１／４に設定し、基準電圧VRM1を（VRT−VRB）の１／１６に設定してＡＤ変換を行っており、これにより、VRT−VRM3間は分解能が１／２となり、VRM3−VRM2間は分解能が１倍となり、VRM2−VRM1間は分解能が４／３倍となり、VRM1−VRB間は分解能が４倍となる。
【００２８】
この図４（ａ）のように低輝度側の分解能を上げることで、図４（ｂ）に示すように、入力レベルが１９２以上の部分では量子化ノイズが増大してしまうが、１２８〜１９１までの部分では量子化ノイズの量に変化は無く、入力レベルが１２８以下の部分で量子化ノイズが減少する。特に入力レベルが６４以下の部分では量子化ノイズが１０ビット相当の量まで減少するため、画質の劣化を抑えるために非常に有効である。
【００２９】
この図４（ａ）のＡＤ変換処理によって映像信号の入出力特性が変わっているため、ＡＤ変換出力補正部１９において、図４（ｃ）に示すように、8ビットの信号レベル40hを１０ビットの40hに対応させ、8ビットの信号レベル40hを１０ビットの40hに対応させ、8ビットの信号レベル80hを１０ビットの100hに対応させ、8ビットの信号レベルC0hを１０ビットの200hに対応させて、８ビットから１０ビットに拡張しつつ直線的な入出力特性に補正する。このような変換処理を行うことで、既存の８ビットＡＤ変換器と同じ回路規模のまま、図３の場合よりも更に低輝度部分を高分解能とすることができる。
【実施例３】
【００３０】
前記実施例１及び２は、入力映像信号がＲＧＢ信号である場合について説明したが、本発明のディジタル映像信号処理回路は、ＲＧＢ信号及びＹＣｒＣｂ信号のどちらにも対応可能なものであり、実施例３ではＹＣｒＣｂ信号が入力された場合について説明を行う。
【００３１】
ＹＣｒＣｂ信号入力端子１２からアナログのＹＣｒＣｂ信号が入力されると、入力切替信号入力端子１３からの入力切替信号によって入力される信号がＹＣｒＣｂ信号であることが制御部１６において認識される。制御部１６では、切替えスイッチ１４に対してＹＣｒＣｂ信号入力端子１２からのＹＣｒＣｂ信号を選択する指示を出すと共に、予め設定しておいた基準電圧値の指令をＡＤ変換器１５に対して出力する。ＡＤ変換器１５では、基準電圧生成部２２がその指令を受けて基準電圧を生成して、これに基づいてＡＤ変換処理が行われる。
【００３２】
このＹＣｒＣｂ信号の場合には、オフセットバイナリ形式として基準点からの差分で表現することができるため、この状態でＡＤ変換処理を行う。すなわち、図２のＡＤ変換器１５の基準電圧生成部２２によって生成可能な基準電圧VRM3、VRM2、VRM1のうち、中間点であるVRM2を基準点（０Ｖ）としてＡＤ変換処理を行う。このとき、基準電圧VRM3とVRM1を図５（ａ）に示すように変更することで、基準点であるVRM2に近い部分の分解能を上げたＡＤ変換処理を行うことができる。図５（ａ）に示したのは、VRTを＋0.5Ｖとし、VRBを−0.5Ｖとし、かつ、VRM2を基準点の０ＶとしてＡＤ変換処理を行った場合の例である。
【００３３】
この図５（ａ）のＡＤ変換処理を行った場合も、前記実施例１及び２の場合と同様に、映像信号の入出力特性が変わっているため、ＡＤ変換出力補正部１９において、図５（ｂ）に示すような関係となるように対応させて、８ビットから１０ビットに拡張しつつ直線的な入出力特性に補正することで、既存の８ビットＡＤ変換器と同じ回路規模のまま、ＹＣｒＣｂ信号についても必要な部分を高分解能とすることができる。
【００３４】
このように、本発明のディジタル映像信号処理回路によれば、既存の８ビットＡＤ変換器と同じ回路規模のまま、必要な部分、例えば、低輝度部分のみを高分解能とすることができ、従来技術の問題点であった回路規模の増大による動作速度の低下、デバイスの製造コスト増、パッケージサイズの増大、基板上の配線領域の増大などの問題点を解消しつつ、１０ビットに拡張しても画質劣化の少ない映像信号処理を行うことができる。また、ＡＤ変換出力補正部において入出力特性を直線的な特性に戻す補正をするため、後の回路において映像が破綻することがない。さらに、図１に示す同一回路構成でＲＧＢ信号とＹＣｒＣｂ信号のどちらにも対応可能な構成となっている。
【００３５】
前記各実施例においては、ＡＤ変換器１５においてＡＤ変換処理を行った結果として映像信号の入出力特性が変わってしまっていたものを、ＡＤ変換出力補正部１９において直線的な入出力特性に戻す補正を行っており、さらにこのＡＤ変換出力補正部１９の後段のガンマ補正処理部２０においてガンマ補正処理を行っている。しかし、本発明はこれに限定されるものではなく、例えば、図６に示すように、ＡＤ変換出力補正・ガンマ補正処理部３０を設けて、映像信号の入出力特性を直線的な入出力特性に戻す補正とガンマ補正処理とを併せて行って、これを出力するような構成としてもよい。この場合、ＡＤ変換出力補正・ガンマ補正処理部３０はルックアップテーブルなどで構成して、ＡＤ変換処理後の８ビットのディジタル映像信号に対応した１０ビットの入出力特性補正及びガンマ補正処理後のディジタル映像信号を予め記憶させておくようにしてもよい。
【００３６】
前記各実施例において、図２のＡＤ変換器１５の基準電圧生成部２２は、３つの基準電圧VRM3、VRM2、VRM1を設定可能なものとして説明したが、本発明はこれに限定されるものではなく、設定する基準電圧の数は適宜設定可能なものである。
また、前記各実施例において、ＡＤ変換器は８ビットの映像信号を出力するものとし、この８ビットの映像信号を１０ビットに拡張するものとして説明したが、これはあくまで一例であり、ｎビットの映像信号をｍビット（但し、ｍ＞ｎ）に拡張する場合に適用可能なものであることは言うまでもない。
【図面の簡単な説明】
【００３７】
【図１】本発明によるディジタル映像信号処理回路の構成を表したブロック図である。
【図２】図１のブロック図におけるＡＤ変換器１５の詳細な構成を表したブロック図である。
【図３】（ａ）は、ＲＧＢ信号について基準電圧を１つ変更してＡＤ変換処理する場合の入出力特性を表した図であり、（ｂ）は、（ａ）の場合の量子化ノイズの変化を表した図であり、（ｃ）は、（ａ）のＡＤ変換によって変化した入出力特性を直線的な特性に補正しつつ１０ビットに拡張する場合の対応関係を表した図である。
【図４】（ａ）は、ＲＧＢ信号について基準電圧を３つ変更してＡＤ変換処理する場合の入出力特性を表した図であり、（ｂ）は、（ａ）の場合の量子化ノイズの変化を表した図であり、（ｃ）は、（ａ）のＡＤ変換によって変化した入出力特性を直線的な特性に補正しつつ１０ビットに拡張する場合の対応関係を表した図である。
【図５】（ａ）は、ＹＣｒＣｂ信号について基準電圧を３つ変更してＡＤ変換処理する場合の入出力特性を表した図であり、（ｂ）は、（ａ）のＡＤ変換によって変化した入出力特性を直線的な特性に補正しつつ１０ビットに拡張する場合の対応関係を表した図である。
【図６】本発明によるディジタル映像信号処理回路の他の構成を表したブロック図である。
【図７】（ａ）は、従来のＡＤ変換器を表したブロック図であり、（ｂ）は、（ａ）のＡＤ変換器の入出力特性を表した図である。
【符号の説明】
【００３８】
１１…ＲＧＢ信号入力端子、１２…ＹＣｒＣｂ信号入力端子、１３…入力切替信号、１４…切替スイッチ、１５…ＡＤ変換器、１６…制御部、１７…信号方式変換部、１８…画素変換部、１９…ＡＤ変換出力補正部、２０…ガンマ補正処理部、２１…ディジタルディスプレイ、２２…基準電圧生成部、２３…Top側基準電圧入力端子、２４…Bottom側基準電圧入力端子、２５…分圧抵抗、２６000〜２６255…コンパレータ、２７…エンコーダ、２８…クロック入力端子、２９…ラッチ回路、３０…ＡＤ変換出力補正・ガンマ補正処理部。
【図１】
2006287505.tif 000003
【図２】
2006287505.tif 000004
【図３】
2006287505.tif 000005
【図４】
2006287505.tif 000006
【図５】
2006287505.tif 000007
【図６】
2006287505.tif 000008
【図７】
2006287505.tif 000009